(57)【要約】【課題】  本考案の課題は、コストを低減し、ワイヤーの切断片を飛散させることのない口腔内用のカッターを提供することである。【解決手段】  把持部１１、１１と、把持部１１、１１に連接された切断部１２ａ、１２ｂとを有し、把持部１１、１１と切断部１２ａ、１２ｂとの間において軸部１３により互いに軸着され、相互に回動可能な一対の切断部材１４ａ、１４ｂとを備える。  一方の切断部１２ａは、切断部本体１５と、切断部本体１５の対向面部１６に他方の切断部本体１７に向けて突出形成された刃部１８とを有すると共に、他方の切断部本体１７の対向面部１９との間にワイヤー部材２０を把持してワイヤー部材２０を切断するように構成されている。【選択図】図４
0003211392.tif 000002
【実用新案登録請求の範囲】
【請求項１】
把持部と、前記把持部に連接された切断部とを有し前記把持部と前記切断部との間において互いに軸着され、相互に回動可能な一対の切断部材とを備え、一方の切断部は、切断部本体と、前記切断部本体の対向面部に他方の切断部本体に向けて突出形成された刃部とを有すると共に、前記他方の切断部本体の対向面部との間にワイヤー部材を把持して前記ワイヤーを切断するカッターであって、
前記一方の切断部材の切断部本体の対向面部には、切断時に前記ワイヤー部材を他方の切断部材の対向面部との間で弾力的に狭持しうる把持部材を有することを特徴とするカッター。
【請求項２】
上記把持部材は、前記対向面部に固定される固定部と、前記固定部から延設されている一方、切断部の切断部本体の対向面部との間に空隙を置いて配置される把持片部とを備えていることを特徴とする請求項１記載のカッター。
【請求項３】
前記把持片部は、非把持状態では対向面部方向において、前記刃部よりも他方の切断部本体の対向面部方向に前出して配置されていることを特徴とする請求項２記載のカッター。
【請求項４】
前記切断部本体は、側方略L字状に形成されていると共に、前記把持部材は側面略L字状に形成されていることを特徴とする請求項３記載のカッター。
【請求項５】
前記把持片部は、前記固定部よりも小さな幅寸法に形成されていることを特
徴とする請求項３記載のカッター。
【考案の詳細な説明】
【技術分野】
【０００１】
本考案は、金属製のセーフティホールド部を有する口腔内で使用するための
カッターに関するものである。
【背景技術】
【０００２】
歯科矯正の治療において、口腔内のブラケットに装着されたアーチワイヤーをチューブの遠心端に合わせて切断する際には、口腔内用のカッターが使用されている。
しかし、従来の口腔内で使用するカッターは、ワイヤーを切断した際に、切断されたワイヤーの破片を把持するための把持部を有していないため、切断時にかかる力により口腔内で切断したワイヤーの破片を飛散させてしまい、その結果、患者の口腔内の組織を傷つけてしまうだけでなく、飛散したワイヤーの破片を、誤って患者に飲み込ませてしまうおそれがある、という問題点があった。
【０００３】
本件出願人は、このような観点から先行技術の調査を行ったところ、関連する特許文献はなかったが、非特許文献１では以下のカッターが開示されている。
【０００４】
非特許文献１には、一方の切断部に設けられた刃部の真上に樹脂製のOリングが装着されているカッターが開示されている。
このカッターは、一方の樹脂製のOリングが装着されている切断部の刃部を、対向面部の切断部に設けられた刃部に向かって、押圧することにより、切断したワイヤーが飛散しないように樹脂製のOリングで保持することができるように構成されている。
しかしながら、治療時に使用したカッターをオートクレーブによる滅菌処理（高圧蒸気滅菌）をする必要があるが、樹脂製のOリングを装着したまま滅菌処理することは難しいため、多くの場合、治療毎にOリングを交換する必要があることからコストが嵩むという問題点があった。
【先行技術文献】
【非特許文献】
【０００５】
【非特許文献１】ＴＡＳＫ vol．１０カタログp.９［平成２９年１月１１日検索］インターネット、＜URL：http://www.task-inc.net/catalog/pdf/201511.pdf#page=9＞
【考案の概要】
【考案が解決しようとする課題】
【０００６】
本考案の課題は、コストを低減し、ワイヤーの切断片を飛散させることのない口腔内用のカッターを提供することである。
【課題を解決するための手段】
【０００７】
前記課題達成のため、請求項１記載の考案にあっては、把持部と、前記把持部に連接された切断部とを有し前記把持部と前記切断部との間において互いに軸着され、相互に回動可能な一対の切断部材とを備え、一方の切断部は、切断部本体と、前記切断部本体の対向面部に他方の切断部本体に向けて突出形成された刃部とを有すると共に、前記他方の切断部本体の対向面部との間にワイヤー部材を把持して前記ワイヤー部材を切断するカッターであって、前記一方の切断部材の切断部本体の対向面部には、切断時に前記ワイヤー部材を他方の切断部材の対向面部との間で弾力的に狭持しうる把持部材を有することを特徴とする。
【０００８】
従って、請求項１記載の考案にあっては、一方の切断部材の切断部本体の対向面部には、切断時に前記ワイヤー部材を他方の切断部材の対向面部との間で弾力的に狭持しうる把持部材が設けられていることから、前記ワイヤーは他方の切断面部との間で弾力的に保持される。
【０００９】
請求項２記載の考案にあっては、前記把持部材は、前記対向面部に固定される固定部と、前記固定部から延設されている一方、切断部の切断部本体の対向面部との間に空隙を置いて配置される把持片部とを備えていることを特徴とする。
【００１０】
従って、請求項２記載の考案にあっては、前記把持部材は、前記対向面部に固定される固定部と、前記固定部から延設されている一方、切断部の切断部本体の対向面部との間に空隙を置いて配置される把持片部とを備えていることから、使用者は、前記ワイヤー部材を切断する際には、前記ワイヤー部材を前記把持部材と前記対向面部との間で狭持した状態を維持しながら前記切断部本体に設けられた刃部で切断する。
また、前記把持部材は、前記対向面部に固定される固定部から延設されていることから、前記ワイヤー部材を前記対向面部との間で狭持している間に変形、又は破損することはない。
【００１１】
請求項３記載の考案にあっては、前記把持片部は、非把持状態では対向面部方向において、前記刃部よりも他方の切断部の切断部本体の対向面部方向に前出して配置されていることを特徴とする。
【００１２】
従って、請求項３記載の考案にあっては、前記把持片部は、非把持状態では、前記刃部よりも他方の切断部の切断部本体の対向面部方向に前出して配置されていることから、前記把持片部から前記対向面部との間の距離は、前記刃部と前記対向面部との間の距離よりも近いため、前記ワイヤー部材は、前記刃部が前記ワイヤー部材を切断する前に、前記把持片部と前記対向面部との間に狭持される。
【００１３】
請求項４記載の考案にあっては、前記切断部本体は側方略Ｌ字状に形成されていると共に、前記把持部材は側面略Ｌ字状に形成されていることを特徴とする。
【００１４】
従って、請求項４記載の考案にあっては、前記切断部本体は側方略Ｌ字状に形成されていることから、前記切断部本体に設けられている前記刃部は、前方向に飛び出しているため、口腔内の奥にあるチューブの遠心端から突出している前記ワイヤー部材まで、容易に到達する。
また、前記把持部材は側面略Ｌ字状に形成されていることから、前記ワイヤー部材を把持するのに充分な長さ及び幅を有するため、切断時に前記ワイヤー部材に伝わる衝撃が大きい場合においても、前記把持部材は、切断部本体の対向面部に前記ワイヤー部材を狭持した状態を維持する。
【００１５】
請求項５記載の考案にあっては、前記把持片部は前記固定部よりも小さな幅寸法に形成されていることを特徴とする。
【００１６】
従って、請求項５記載の考案にあっては、前記把持片部は、前記固定部よりも小さな幅寸法に形成されていることから、切断するワイヤー部材の径の大きさに合わせて、他方の切断部材の対向面部との間で弾力的に狭持する。
【考案の効果】
【００１７】
請求項１記載のカッターにあっては、把持部と、前記把持部に連接された切断部とを有し前記把持部と前記切断部との間において互いに軸着され、相互に回動可能な一対の切断部材とを備え、一方の切断部は、切断部本体と、前記切断部本体の対向面部に他方の切断部本体に向けて突出形成された刃部とを有すると共に、前記他方の切断部本体の対向面部との間にワイヤー部材を把持して前記ワイヤーを切断するカッターであって、前記一方の切断部材の切断部本体の対向面部には、切断時に前記ワイヤーを他方の切断部材の対向面部との間で弾力的に狭持しうる把持部材を有していることから、前記カッターは、前記把持部と前記切断部との間において互いに軸着され、相互に回動可能な一対の切断部材とを備えていることから、使用者は、前記カッターを片手で持ちながら、前記カッターの前記切断部本体を患者の口腔内の奥の方まで挿入し、容易に目的の歯の付近まで、前記カッターの切断部本体を近づけることができると共に、患者の歯に取り付けられているブラケットに装着されたアーチワイヤーを挿通させているチューブの遠心端から突出している前記ワイヤー部材を一方の前記切断部本体に固定されている把持部材と、他方の切断部材の対向面部との間で弾力的に狭持して、切断部本体の対向面部に他方の切断部本体に向けて突出形成された刃部で前記ワイヤー部材を切断することができる。
また、前記把持部材は、弾力的にワイヤーを狭持することができるので、切断したワイヤーの破片も、使用者がワイヤーを切断する際の衝撃により、対向面部から外れることを予防することができる。その結果、安全に患者の歯科矯正の治療を行うことができるカッターを提供することができる。
さらに、従来のように、樹脂製のＯリングによりワイヤーを保持するように構成されていないことから、滅菌処理のためにその都度樹脂製Ｏリングを交換することが不要になるため、コストを低減することができる。
【００１８】
請求項２記載のカッターにあっては、前記把持部材は、前記対向面部に固定される固定部と、前記固定部から延設されている一方、切断部の切断部本体の対向面部との間に空隙を置いて配置される把持片部とを備えていることから、使用者は、前記ワイヤー部材を切断する際には、前記ワイヤー部材を前記把持部材と前記対向面部との間で狭持した状態を維持しながら前記切断部本体に設けられた刃部で切断することができる。
また、前記把持部材は、前記対向面部に固定される固定部から延設されていることから、使用者は、前記把持部材が、前記ワイヤー部材を前記対向面部との間で狭持している間に変形、又は破損することを心配することなく、安全に使用
することができる。
【００１９】
請求項３記載のカッターにあっては、前記把持片部は、非把持状態では、前記刃部よりも他方の切断部の切断部本体の対向面部方向に前出して配置されていることから、前記把持片部から前記対向面部との間の距離は、前記刃部と前記対向面部との間の距離よりも近くなるため、使用者は、前記刃部が前記ワイヤー部材を切断する前に、前記ワイヤー部材を、前記把持片部と前記対向面部との間に狭持することができる。その結果、ワイヤーをまず把持し、ワイヤーの把持状態を維持しつつ切断することができるため、安定した切断が可能となる。
【００２０】
請求項４記載のカッターにあっては、前記切断部本体は側方略Ｌ字状に形成されていることから、直角方向に交差する構成片部を有し、口腔内への使用者のカッターの挿入方向の如何にかかわらず様々な方向から、Ｌ字状の各構成片部によりワイヤーを把持することが可能となる。
また、前記把持部材は側面略Ｌ字状に形成されていることから、前記把持部材と前記ワイヤー部材との接触面積を大きくすることができることから、ワイヤー部材を切断する際に生じる衝撃も軽減し、安全に切断することができる。
【００２１】
請求項５記載のカッターにあっては、前記把持片部は前記固定部よりも小さ
な幅寸法に形成されていることから、切断するワイヤー部材の径の大きさに合わせて、前記切断部材の対向面部との間で弾力的に狭持させることができる。
【図面の簡単な説明】
【００２２】
【図１】図１は、本考案の一実施の形態に係るカッターを示す平面図である。
【図２】図２は、本考案の一実施の形態に係るカッターにおいて、カッターの切断部本体の開いた状態を示す平面図である。
【図３】図３は、本考案の一実施の形態に係るカッターにおいて、カッターの切断部本体を拡大して示す斜視図である。
【図４】図４は、本考案の一実施の形態に係るカッターにおいて、針金を把持している状態を拡大して示す斜視図である。
【考案を実施するための最良の形態】
【００２３】
以下、添付図面に示す実施の形態に基づき、本考案を詳細に説明する。
図１〜図４に示すように、本実施の形態に係るカッター１０にあっては、把持部１１、１１と、把持部１１、１１に連接された切断部１２ａ、１２ｂとを有し、把持部１１、１１と切断部１２ａ、１２ｂとの間において軸部１３により互いに軸着され、相互に回動可能な一対の切断部材１４ａ、１４ｂとを備える。
【００２４】
一方の切断部１２ａは、切断部本体１５と、切断部本体１５の対向面部１６に他方の切断部本体１７に向けて突出形成された刃部１８とを有すると共に、他方の切断部本体１７の対向面部１９との間にワイヤー部材２０を把持してワイヤー部材２０を切断するように構成されている。
【００２５】
切断部本体１５、１７は、側方略Ｌ字状に形成されており、本体部２７、２８の先端部において略直角に折曲形成された折曲部２９、３０とにより構成されている。
対向面部１９は本体部２８及び折曲部３０の内側面部により形成されている。
【００２６】
刃部１８は、折曲部２９の内側面部において折曲部２９の幅方向における軸部１３寄りの端部において長さ方向に沿って切断部本体１７方向に突設されている。
【００２７】
本実施の形態に係るカッター１０にあっては、一方の切断部材１４ｂの切断部本体１５の対向面部１６には、切断時にワイヤー部材２０を他方の切断部本体１７の対向面部１９との間で弾力的に挟持しうる把持部材２１を有している。
【００２８】
図１〜図４に示すように、本実施の形態に係るカッター１０にあっては、把持片部２４は、非把持状態では対向面部１９方向において、刃部１８よりも他方の切断部１４ａの切断部本体１７の対向面部１９方向に前出して配置されている。
【００２９】
図１〜図４に示すように、本実施の形態に係るカッター１０にあっては、把持部材２１は側面略Ｌ字状に形成されている。本実施の形態に係るカッター１０にあっては、把持部材２１は、本体部２９の対向面部１６ａにボルト部材２５により固定される固定部２３と、固定部２３から延設され、切断部１２ａの切断部本体１５の対向面部１６との間に空隙を置いて配置される把持片部２４とを備える。
【００３０】
把持部材２１は固定部２３において切断部本体１５の対向面部１６上において、外側端部が切断部本体１５の側縁部に沿うように配置されて固定されており、把持片部２４は対向面部１６上において刃部１８を迂回するように配置されている。
【００３１】
固定部２３の厚さ寸法Ｌ１は刃部１８の高さ寸法Ｌ２よりも大きく形成され、その結果、把持片部２４は刃部１８の先端部よりも対向面部１９方向に前出して配置されている。
【００３２】
本実施の形態に係るカッター１０にあっては、把持片部２４は、固定部２３よりも小さな幅寸法に形成されている。
【００３３】
本実施の形態に係るカッター１０にあっては、把持部１１、１１と、切断部１２ａ、１２ｂと、切断部材１４ａ、１４ｂと、切断部本体１５、１７と、把持部材２１と、固定部２３と切断部本体１５とを固定するボルト部材２５とは全て金属で構成されている。
【００３４】
以下、本実施の形態に係るカッターの作用及び効果について説明する。
図１〜図４に示すように、本実施の形態に係るカッター１０を使用して患者の口腔内においてワイヤー部材２０を切断する場合には、使用者は、把持部１１、１１を片手で持ち、把持部１１、１１を拡開して、ワイヤー部材２０を、拡開させ切断部本体１７の対向面部１９と切断部本体１５の把持部材２１との間に配置し、この状態で把持部１１、１１を握持して切断本体部１５、１７を閉じる。
【００３５】
この際、把持部材２１は刃部１８よりも切断部本体１７方向に前出していることから、ワイヤー部材２０は把持部材２１と切断部本体１７の対向面部１９との間に弾力的に挟持される。
【００３６】
次に、使用者はワイヤー部材２０を把持部材２１により挟持した状態で、さらに、把持部１１、１１に力を加えて握ることにより、ワイヤー部材２０を刃部１８により切断することができる。
この場合、ワイヤー部材２０は把持部材２１により対向面部１９に圧接されていることから、切断時及び切断後においても、使用者が把持部１１、１１を開放しない限り、ワイヤー部材２０は把持部材２１により対向面部１９との間に挟持された状態を維持することから、切断時にワイヤー部材２０の切断片が口腔内で飛び、口腔内を傷つける事態を有効に防止することができる。
さらに、患者の口腔内の組織を傷つけてしまう事態を防止できるのみでなく、飛散したワイヤー部材２０の破片を、誤って患者に飲み込ませてしまうことなく、安全に治療することができる。
【００３７】
また、ワイヤー部材２０を弾力的に挟持した状態を維持しつつ切断することができるため、使用者は、容易に安定した切断が可能となる。
【００３８】
図１〜図４に示すように、本実施の形態に係るカッター１０にあっては、切断部本体１５、１７は側方略Ｌ字状に形成されていることから、直角方向に交差する構成する構成片部を有し、患者の口腔内への使用者のカッターの挿入方向の如何にかかわらず様々な方向から、Ｌ字状の各構成片部によりワイヤー部材２０を把持することが可能となることから、奥歯に取り付けられているブラケットに装着されたアーチワイヤーを挿通させているチューブの遠心端から突出しているワイヤー部材２０に切断部本体１５、１７を容易に到達させることができるため、患者に負担をかけることなく治療を行うことができる。
【００３９】
また、把持部材２１は側面略Ｌ字状に形成されていることから、把持部材２１とワイヤー部材２０との接触面積を大きくすることから、ワイヤー部材２０を切断する際に生じる衝撃も軽減することができると共に、安全に切断することができる。
【００４０】
さらに、従来にように、樹脂製のＯリングによりワイヤー部材２０を保持するように構成されておらず、構成部品は全て金属で構成されていることから、樹脂製とは異なり、治療後に使用したカッター１０をオートクレーブによる滅菌処理（高圧蒸気滅菌）を行った場合においても変形、又は変質することがないため、常に治療毎に衛生的なカッター１０を治療に使用することができる。
また、滅菌処理のためにその都度樹脂製Ｏリングを交換することが不要になるため、コストを低減することができる。
【００４１】
図１〜図４に示すように、本実施の形態に係るカッター１０にあっては、少ない部品数で構成されていることから、オートクレーブによる滅菌処理（高圧蒸気滅菌）においては、構成部材間の汚染等も軽減することができる。
また、部品の製造コストの削減、製造工程の効率化を図ることができる。
【００４２】
図１〜図４に示すように、本実施の形態に係るカッター１０にあっては、把持部１１、１１は湾曲していることから、ワイヤー部材２０を切断する際の衝撃が手２６に伝わった場合においても、使用者は手２６に痛みを感じることは少ないため、治療に時間がかかった場合においてもストレスなく治療を続けることができる。
【００４３】
また、使用者は、把持部１１、１１は湾曲した形状を有していることからしっかりと掌で把持部１１、１１を把持することができることから、治療中に手２６が滑って患者の口腔内に落とす心配はないため、患者の安全を考慮した治療を行うことができる。
【産業上の利用可能性】
【００４４】
本考案は、歯科矯正治療に使用するカッターであることから産業上の利用可能性を有している。
【符号の説明】
【００４５】
１０…カッター
１１…把持部
１２ａ、１２ｂ…切断部
１３…軸部
１４ａ、１４ｂ…切断部材
１５…切断部本体
１６…対向面部
１６ａ…Ｌ字状対向面部
１７…切断部本体
１８…刃部
１９…対向面部
２０…ワイヤー部材
２１…把持部材
２２…切断面部
２３…固定部
２４…把持片部
２５…ボルト部材
２６…手
２７…本体部
２８…本体部
２９…折曲部
３０…折曲部
Ｌ１…固定部の厚さ寸法
Ｌ２…刃部の高さ寸法
【図１】
0003211392.tif 000003
【図２】
0003211392.tif 000004
【図３】
0003211392.tif 000005
【図４】
0003211392.tif 000006